(57)【特許請求の範囲】
【請求項１】
非表示領域が設定された基板と、上記非表示領域に形成された配線と、この配線に導通するように固定された電子部品と、を備えたフラットパネルディスプレイであって、
上記非表示領域において、上記基板の上面、側面および下面に跨って上記基板の縁部を挟持し、かつ上記配線に導通した固定部材を上記基板の縁部に沿って間隔を開けて２つ備え、
上記電子部品は、上記２つの固定部材に対し、これら２つの固定部材間を掛け渡すようにして固定されていることを特徴とする、フラットパネルディスプレイ。
【請求項２】
上記２つの固定部材は、それぞれ、上記基板を挟持する挟持部と、この挟持部から延出するピン部と、を有しており、
上記電子部品は、上記ピン部において上記２つの固定部材に固定されている、請求項１に記載のフラットパネルディスプレイ。
【請求項３】
上記電子部品は、上記２つの固定部材における上記基板の上面を覆う部位に固定されている、請求項１に記載のフラットパネルディスプレイ。
【請求項４】
上記電子部品は、上記２つの固定部材における上記基板の側面を覆う部位に固定されている、請求項１に記載のフラットパネルディスプレイ。
【請求項５】
上記電子部品は、上記２つの固定部材における上記基板の下面を覆う部位に固定されている、請求項１に記載のフラットパネルディスプレイ。
【請求項６】
上記電子部品は、絶縁樹脂により覆われている、請求項１ないし５のいずれかに記載のフラットパネルディスプレイ。
【発明の詳細な説明】
【０００１】
【発明の属する技術分野】
本願発明は、液晶表示装置、ＬＥＤ表示装置、有機ＥＬあるいは無機ＥＬ表示装置などのようなフラットパネルディスプレイに関する。
【０００２】
【従来の技術】
フラットパネルディスプレイの一例として、たとえば図７に示した液晶表示装置が挙げられる。この液晶表示装置９は、一対の基板９０，９１の間に液晶（図示略）を保持したものであり、表示領域９２および非表示領域９３を有している。表示領域９２には複数の画素（図示略）がマトリックス状に配置されている一方、非表示領域９３には各画素での光透過・非透過を選択するための駆動ＩＣ９４が実装されている。この駆動ＩＣ９４は、たとえば複数の画素を構成する信号線および走査線に対して、配線（図示略）を介して導通している。駆動ＩＣ９４に対しては、配線９５およびフレキシブルケーブル９６を介して、画像信号や電力が供給される。
【０００３】
液晶表示装置９においては、信号線や走査線の他、これに導通する配線が形成されており、ノイズが生じやすくなっている。そのため、ノイズ対策として、図８に示したようにフレキシブルケーブル９６に形成された配線９７に対して、チップコンデンサ９８が搭載されることがある。ノイズ対策の他、電源平滑化や電圧昇圧などの目的で、フレキシブルケーブル９６の配線９７上には、チップコンデンサやチップ抵抗器などの電子部品が実装される。このような電子部品は、非表示領域９３の配線９５と導通する回路基板を別途設け、この回路基板に実装されることもある。
【０００４】
【発明が解決しようとする課題】
一般的に、液晶表示装置９は電子機器に組み込んで使用される。しかしながら、フレキシブルケーブル９６に電子部品を搭載することは、フレキシブルケーブル９６の大型化を招き、電子機器のコンパクト化が阻害されるために好ましくない。一方、電子部品を回路基板に実装する方法では、別途回路基板を設ける必要があるためにコスト的に不利である。また、フレキシブルケーブル９６や回路基板に対する上記電子部品の実装は、電子機器に液晶表示装置９を組み込む際に行う必要がある。そのため、液晶表示装置９を購入し、これを電子機器に組み込むユーザにとっては、電子部品の実装作業が必要となるため、このようなユーザからすれば、液晶表示装置９は使い勝手が悪い。これらの不具合は、液晶表示装置９に限らず、同様な目的で電子部品が実装されるフラットパネルディスプレイ全般において生じうることである。
【０００５】
本願発明は、このような事情のもとに考えだされたものであって、電子機器のコンパクト化を阻害することなくコスト的に有利に、使い勝手の良いフラットパネルディスプレイを提供することを課題としている。
【０００６】
【発明の開示】
上記した課題を解決すべく、本願発明では次の技術的手段を講じている。すなわち、本願発明により提供されるフラットパネルディスプレイは、非表示領域が設定された基板と、上記非表示領域に形成された配線と、この配線に導通するように固定された電子部品と、を備えたフラットパネルディスプレイであって、上記非表示領域において、上記基板の上面、側面および下面に跨って上記基板の縁部を挟持し、かつ上記配線に導通した固定部材を上記基板の縁部に沿って間隔を開けて２つ備え、上記電子部品は、上記２つの固定部材に対し、これら２つの固定部材間を掛け渡すようにして固定されていることを特徴としている。
【０００７】
このフラットパネルディスプレイでは、フラットパネルディスプレイに対して予め電子部品が固定されている。そのため、電子機器にフラットパネルディスプレイを組み込む際に、フレキシブルケーブルや回路基板に対して電子部品を実装する必要はない。したがって、第１に、フレキシブルケーブルを用いて信号や電力を供給する構成を採用したとしても、電子部品を使用することに起因してフレキシブルケーブルが大型化することはなく、第２に、電子部品実装用の回路基板が不要な分だけコスト的に有利であり、第３に、フラットパネルディスプレイを購入し、これを電子機器に組み込むユーザにとっては、電子部品の実装が不要な分だけ使い勝手が良くなる。
【０００８】
固定部材としては、たとえばコネクタピンを用いることができる。コネクタピンは、基板を挟持する挟持部と、この挟持部から延出するピン部と、を有しており、この場合には、電子部品は、ピン部において２つの固定部材に固定するのが好ましい。コネクタピンは、電子機器において汎用されている部材であり、たとえばフラットパネルディスプレイにおいても、信号や電力を供給するために使用されることがある。その場合には、電子部品を固定するためのコネクタピンを、信号などを供給するためのコネクタピンと同一の作業工程において装着することができるため、作業性が良くなる。
【０００９】
電子部品は、２つの固定部材における基板の上面を覆う部位、基板の側面を覆う部位、あるいは基板の下面を覆う部位に固定してもよい。この場合には、ピン部に相当する部分はなくてもよく、たとえばコネクタピンにおいてピン部を切断したものを固定部材として使用することができる。電子部品は、絶縁樹脂により覆うのが好ましい。そうすれば、電子部品が外力から保護され、固定部材から不用意に脱離してしまうこともない。
【００１０】
本願発明のその他の利点および特徴については、以下に行う発明の実施の形態の説明から、より明らかとなるであろう。
【００１１】
【発明の実施の形態】
以下、本願発明の好ましい実施の形態について、図１および図２を参照して具体的に説明する。図１は、フラットパネルディスプレイの一例としての液晶表示装置の全体斜視図であり、図２および図３は図１のII−II線およびIII−III線に沿う断面図である。
【００１２】
図１および図２に示した液晶表示装置１は、第１および第２基板２Ａ，２Ｂの間に液晶２０を保持したものであり、表示領域３および非表示領域４を有している。第２基板２Ｂは、第１基板２Ａに対向し、かつ第１基板２Ａの側方にその一部が突出している。表示領域３は第１および第２基板２Ａ，２Ｂが相互に重なり合う部分に設定されており、非表示領域４は第２基板２Ｂにおける突出部分に設定されている。
【００１３】
図２に良く表れているように、第１および第２基板２Ａ，２Ｂの対向面２０ａ，２０ｂには、複数の帯状電極２１ａ，２１ｂおよびこれらの帯状電極２１ａ，２１ｂを覆う配向膜２２ａ，２２ｂが形成されている。一方、第１および第２基板２Ａ，２Ｂの非対向面２３ａ，２３ｂには、偏光膜２４ａ，２４ｂが形成されている。複数の帯状電極２１ａと複数の帯状電極２１ｂとは、図２から予想されるように相互に直交しており、これらの交差部分が画素とされている。つまり、表示領域３には、複数の画素がマトリックス状に配置され、パッシブ駆動が可能なように構成されている。このようにして第１および第２基板２Ａ，２Ｂに上記した要素を形成することにより、第１および第２基板２Ａ，２Ｂが重なり合う部分が表示領域３として設定されている。もちろん、表示領域３は、アクティブ駆動が可能な構成であってもよい。なお、図１および図２に示した表示領域３は、実際に画像が表示される領域のみならず、配線のみが形成されて実際には画像の表示が行われない領域（表示領域３の周縁部）をも有しているが、本実施の形態では説明の便宜上、それらの全体を表示領域３としている。
【００１４】
非表示領域４には、複数の配線４０がパターン形成されている。これらの配線４０は、各画素での光透過・非透過を選択するための駆動ＩＣ４１、およびこの駆動ＩＣ４１に対して画像信号や電力を供給するためのフレキシブルケーブル４２と導通している。駆動ＩＣ４１およびフレキシブルケーブル４２は、異方性導電膜４３を介して第２基板２Ｂに固定されている。
【００１５】
図１および図３に良く表れているように、配線４０は固定部材としての２つのコネクタピン５を介して電子部品６と導通している。この２つのコネクタピン５は、第２基板Ｂの縁部にそって間隔を開けて固定されており、第２基板２Ｂを挟持する挟持部５０と、この挟持部５０から延出するピン部５１とを有しており、全体が金属などの導体により形成されている。挟持部５０は、適度なバネ性を有している。コネクタピン５の固定は、配線４０における挟持部５０との接触部分およびその近傍にカーボンペースト５２を塗布した上で、挟持部５０内に第２基板２Ｂを挿入することにより行われる。そうすれば、挟持部５０のバネ性により、第２基板２Ｂにコネクタピン５が固定される。
【００１６】
電子部品６は、たとえば配線４０で生じるノイズを低減し、あるいは電源平滑化や電圧昇圧などの目的で使用されるものである。このような目的で使用される電子部品６としては、チップコンデンサやチップ抵抗器などが挙げられ、図示した例に限らず、その目的に応じて複数個の電子部品を、固定部材を用いて固定してもよい。図示した電子部品６は、両端部に電極６０が形成されており、これらの電極６０がピン部５１に対してハンダＨを用いて接続されている。これにより、電子部品６がコネクタピン５に対して固定されている。電子部品６のハンダ付けは、通常、第１および第２基板２Ａ，２Ｂ上に偏光膜２４ａ，２４ｂが形成された段階で、コネクタピン５を第２基板２Ｂに固定した後に行われる。この場合には、手作業により電子部品６のハンダ付けが行われる。なお、第２基板２Ｂに対する電子部品６の固定は、コネクタピン５に予め電子部品６を実装しておいた上で、コネクタピン５を第２基板２Ｂに固定することにより行ってもよい。
【００１７】
液晶表示装置１では、この液晶表示装置１に対して予め電子部品６が固定されている。そのため、電子機器に液晶表示装置１を組み込む際に、フレキシブルケーブル４２や回路基板に対して電子部品６を実装する必要はない。したがって、第１に、電子部品６を使用することに起因してフレキシブルケーブル４２が大型化することはなく、第２に、電子部品実装用の回路基板が不要な分だけコスト的に有利であり、第３に、液晶表示装置１を購入し、これを電子機器に組み込むユーザにとっては、電子部品６の実装が不要な分だけ使い勝手が良くなる。
【００１８】
液晶表示装置は、フレキシブルケーブルに代えて、コネクタピンを用いて信号や電力の供給を行うように構成してもよい。この場合には、電子部品を固定するためのコネクタピンを、信号などを供給するためのコネクタピンと同一の作業工程において装着することができるため、作業性が良くなる。
【００１９】
電子部品は、コネクタピンのピン部に限らず、挟持部に固定してもよい。この場合には、ピン部は必ずしも必要なものではなくなるため、図４ないし図６に示したように実質的に挟持部のみにより構成された固定部材５′を用いることもできる。図４には固定部材５′における第２基板２Ｂの側面２Ｂａを覆う部位に電子部品６を固定した例を、図５には第２基板２Ｂの上面２Ｂｂを覆う部位に電子部品６を固定した例を、図６には第２基板２Ｂの下面２Ｂｃを覆う部位に電子部品６を固定した例をそれぞれ示した。なお、図４ないし図６においては、図１ないし図３を参照して説明した液晶表示装置１と同一または同様の部材ないしは要素などについては、同一の符号を付してある。
【００２０】
図４ないし図６に示した固定部材５′は、たとえばコネクタピンのピン部を切断することにより形成することができる。この場合には、既存の部材（コネクタピン）のピン部を切断するだけで固定部材５′が形成できるため、固定部材５′の形成が容易であるといった利点がある。
【００２１】
固定部材５′に固定した電子部品６は、図示したように絶縁樹脂７により覆うのが好ましい。そうすれば、絶縁樹脂７により電子部品６が外力により保護される結果、電子部品６が固定部材５′から脱離してしまうことが抑制されている。もちろん、図３に示した構成においても、絶縁樹脂により電子部品６を覆うようにしてもよく、その場合にも同様な効果が得られる。
【００２２】
以上の実施の形態では、液晶表示装置を例にとって説明したが、本願発明は液晶表示装置には限定されない。本願発明の技術思想は、フラットパネルディスプレイ（液晶表示装置の他、ＬＥＤ表示装置や有機（あるいは無機）ＥＬ表示装置などが挙げられる）において、非表示領域に設けられた配線に導通して電子部品（チップコンデンサやチップ抵抗器など）を設ける場合に適用可能である。
【図面の簡単な説明】
【図１】本願発明に係るフラットパネルディスプレイの一例である液晶表示装置の全体斜視図である。
【図２】図１のII−II線に沿う断面図である。
【図３】図１のIII−III線に沿う断面図である。
【図４】本願発明の他の例を示す図３に相当する断面図である。
【図５】本願発明の他の例を示す図３に相当する断面図である。
【図６】本願発明の他の例を示す図３に相当する断面図である。
【図７】従来の液晶表示装置の一例を示す全体斜視図である。
【図８】図７のVIII−VIII線に沿う断面図である。
【符号の説明】
１  液晶表示装置（フラットパネルディスプレイ）
２Ｂ  第２基板
２Ｂａ  側面（第２基板の）
２Ｂｂ  上面（第２基板の）
２Ｂｃ  下面（第２基板の）
４０  配線
５  コネクタピン（固定部材）
５′  固定部材
５０  挟持部（コネクタピンの）
５１  ピン部（コネクタピンの）
６  電子部品
【図１】
0004015432.tif 000002
【図２】
0004015432.tif 000003
【図３】
0004015432.tif 000004
【図４】
0004015432.tif 000005
【図５】
0004015432.tif 000006
【図６】
0004015432.tif 000007
【図７】
0004015432.tif 000008
【図８】
0004015432.tif 000009